【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
血管から閉塞物を除去する医療装置であって、該医療装置は、
第１の端部および第２の端部を有するワイヤ群を備える主部束と、
該ワイヤ群によって形成され、かつ捕捉表面に隣接する並進表面を有する捕捉部分であって、該並進表面は、開放近位端を有し、該捕捉表面は、透過性遠位端を有する、捕捉部分と
を備え、
該捕捉部分が該ワイヤ群から形成されることにより、該ワイヤ群は、該主部束の該第２の端部から分岐して該透過性遠位端を形成し、該ワイヤ群は、近位方向に戻るように延在することにより、該主部束の周囲に該捕捉表面、該並進表面、および開放近位端を形成し、
該並進表面および捕捉表面は、並進表面軸方向強度が捕捉表面軸方向強度よりも大きくなるように構成され、該主部束への引張力の適用は、該捕捉部分が該閉塞物を係合する際に、該並進表面を変形させるほど該並進表面の軸方向の圧縮および変形を生じさせずに、該捕捉表面の軸方向の圧縮を生じさせる、医療装置。
【請求項２】
前記捕捉部分は、前記主部束に対する該捕捉部分の関節運動が前記開放近位端の寸法を減少させないように、形成される、請求項１に記載の医療装置。
【請求項３】
前記捕捉表面は、ワイヤの前記主部束によって適用される近位力が、前記閉塞物からの抵抗を受ける場合に前記並進表面に対して前記捕捉区画を圧縮する際に、該並進表面に対してバネ力を生成するように構成され、該捕捉表面は、前記開放近位端が該閉塞物を係合する際に、該バネ力および近位力を該開放近位端に向けるのに十分な軸方向剛性を有するように構成され、さらに、該捕捉区画は、前記血管の形状に適合するように十分に可撓性である、請求項１に記載の医療装置。
【請求項４】
前記捕捉区画は、前記並進区画の前記開放近位端が閾値力以上の抵抗を受ける場合に、前記主部束の近位移動が、該並進区画内において該捕捉区画を反転させ、該捕捉区画の寸法を減少させるように、構成される、請求項１に記載の医療装置。
【請求項５】
前記捕捉区画および横断区画は、前記横断表面が前記捕捉表面に対して遠位に移動するように、前記主部束の連続的な近位移動時に反転するように構成される、請求項４に記載の医療装置。
【請求項６】
前記主部束は、近位束に接合され、該近位束は、該主部束より大きな剛性を備え、該主部束は、前記脳血管系内における前記医療装置の遠位部分の操作を可能にするように、前記透過性遠位端から所定の距離だけ延在する、請求項１に記載の医療装置。
【請求項７】
前記捕捉表面は、前記閉塞物の除去のために該捕捉表面が該閉塞物を係合するように、前記並進表面に比べて増加した摩擦抵抗を有する、請求項１に記載の医療装置。
【請求項８】
前記開放近位端は、前記並進表面から延在する複数のフランジをさらに備える、請求項１に記載の医療装置。
【請求項９】
前記フランジは、前記捕捉部分の軸から離れるように半径方向に延在する、請求項８に記載の医療装置。
【請求項１０】
前記捕捉部分は、自己拡張可能である、請求項１に記載の医療装置。
【請求項１１】
前記捕捉表面の少なくとも一部分は、バスケット、フィルタ、バック、コイル、螺旋状ワイヤ構造、メッシュ、単一の巻線ワイヤ、および複数の交差ワイヤ、またはそれらの組み合わせから成る群から選択される構造を備える、請求項１に記載の医療装置。
【請求項１２】
ワイヤの前記主部束は、少なくとも第１のワイヤおよび第２のワイヤを含み、該第１および第２のワイヤの各々は、異なる特性を有する、請求項１に記載の医療装置。
【請求項１３】
前記特性は、材料、断面形状、および断面寸法から成る群から選択される、請求項１２に記載の医療装置。
【請求項１４】
前記ワイヤの主部束は、少なくとも１つの形状記憶合金ワイヤを含む、請求項１に記載の医療装置。
【請求項１５】
前記ワイヤの主部束は、超弾性ワイヤ、ポリマーワイヤ、または金属合金から成る群から選択される少なくとも１つのワイヤを含む、請求項１に記載の医療装置。
【請求項１６】
前記捕捉部分上に位置する少なくとも１つのＸ線不透過性材料をさらに備える、請求項１に記載の医療装置。
【請求項１７】
前記ワイヤ群における前記個々のワイヤの各々は、より小さいワイヤの束を備える、請求項１に記載の医療装置。
【請求項１８】
前記個々のワイヤは、超弾性の外側シェルおよびＸ線不透過性材料の内側核を備える、請求項１に記載の医療装置。
【請求項１９】
前記捕捉部分は、接合部がない、請求項１に記載の医療装置。
【請求項２０】
前記主部束からの前記ワイヤのうちの少なくとも１つは、前記捕捉部分の少なくとも一部を形成した後に該主部束に戻る、請求項１に記載の医療装置。
【請求項２１】
前記主部束からの前記ワイヤの各々は、前記捕捉部分の一部を形成した後に該主部束に戻る、請求項１に記載の医療装置。
【請求項２２】
前記主部束は、コイルまたはコイル状ワイヤによって囲繞される、請求項１に記載の医療装置。
【請求項２３】
体内管腔から閉塞物を除去する回収装置であって、
少なくとも１つの先導ワイヤと、
捕捉区画に隣接して並進区画を備える回収本体であって、該並進区画は、開放近位端を有し、該捕捉区画は、透過性遠位端を有し、該先導ワイヤは、該捕捉区画の一部分まで延在することにより、該先導ワイヤに対する該開放近位端の関節運動を可能にする、回収本体と
を備え、
該並進区画および捕捉区画は、並進区画軸方向強度が捕捉区画軸方向強度よりも大きくなるように構成され、該先導ワイヤへの引張力の適用は、該回収本体が該閉塞物を係合する際に、並進表面の軸方向の変形を生じさずに、捕捉表面の軸方向の圧縮を生じさせる、回収装置。
【請求項２４】
シースの遠位端内に物体を引き込む回収システムであって、該回収システムは、
遠位部分、およびそれを貫通するルーメンを有する細長い部材と、
該細長い部材に装着される部分を有する可撓性層であって、該可撓性層の第１の端部は、該細長い部材の該遠位部分に漏斗部を形成するように構成される、可撓性層と、
該物体を係合するために該細長い部材を通って前進することが可能である回収装置であって、該可撓性層内への該回収装置の近位移動は、該可撓性層に、該回収装置を係合して、該回収装置が該物体を該シースに固定することを支援させる、回収装置と
を備える、回収システム。
【請求項２５】
前記細長い部材は、第１のシャフトおよび第２のシャフトを備え、該第１と第２のシャフトとは入れ子の係合状態にあり、前記可撓性層の第１の端部は、該第１のシャフトに装着され、該可撓性部材の第２の端部は、該第２のシャフトに装着され、該可撓性部材の端部間の距離を減少させるために該第１および第２のシャフトを移動することは、該可撓性材料に、該可撓性層が該第２の細長いシャフトの周りでさらに反転する際に、漏斗部を形成させる、請求項２４に記載の回収システム。
【請求項２６】
前記可撓性層は、単一の位置において前記細長い部材に装着される、請求項２４に記載の回収システム。
【請求項２７】
前記可撓性部材は、遠位位置において前記細長い部材に装着され、該可撓性部材は、所定の漏斗形状を有することにより、該可撓性部材は、非拘束時に、該細長い部材の該遠位端の周囲に該漏斗形状を形成する、請求項２６に記載の回収システム。
【請求項２８】
前記可撓性部材は、近位位置において前記細長い部材に装着され、該可撓性部材は、該細長い部材の前記遠位端を越えて延在する、請求項２６に記載の回収システム。
【請求項２９】
前記回収装置の近位移動は、前記可撓性部材を係合し、該可撓性部材に漏斗形状を形成させる、請求項２８に記載の回収システム。
【請求項３０】
前記可撓性部材は所定の漏斗形状を有し、それにより、該可撓性部材が、非拘束時に、漏斗形状を帯びる、請求項２８に記載の回収システム。
【請求項３１】
前記可撓性層は、メッシュ編組を備える、請求項２４に記載の回収システム。
【請求項３２】
前記メッシュ編組は、ニチノール編組を備える、請求項３１に記載の回収システム。
【請求項３３】
前記可撓性層は、可撓性層の材料を備える、請求項２４に記載の回収システム。
【請求項３４】
第２の細長い部材を貫通する回収シースであって、該第２の細長い部材は遠位端に装着される近位捕捉部分を有する、回収シースと、
該回収シースを貫通する少なくとも１つの先導ワイヤであって、該先導ワイヤの遠位区画は、遠位剛性を備え、該先導ワイヤの近位区画は、近位剛性を備え、該近位剛性は、該遠位剛性よりも大きい、先導ワイヤと、
該先導ワイヤの遠位端における遠位捕捉部分であって、該近位捕捉部分に対して軸方向に可動である、遠位捕捉部分と
をさらに備える、請求項２４に記載の回収システム。
【請求項３５】
前記先導ワイヤの前記遠位区画は、前記遠位捕捉部分から所定の距離だけ近位に延在することにより、脳血管系内における該先導ワイヤの遠位区画の操作を可能にする、請求項３４に記載の回収システム。
【手続補正２】
【補正対象書類名】明細書
【補正対象項目名】００３２
【補正方法】変更
【補正の内容】
【００３２】
虚血性脳卒中を治療するための追加の装置および方法は、同一出願人による２００７年２月５日に出願された米国特許出願第１１／６７１，４５０号、２００７年３月９日に出願された第１１／６８４，５２１号、２００７年３月９日に出願された第１１／６８４，５３５号、２００７年３月９日に出願された第１１／６８４，５４１号、２００７年３月９日に出願された第１１／６８４，５４６号、２００７年３月１２日に出願された第１１／６８４，９８２号、２００７年４月１７日に出願された第１１／７３６，５２６号、２００７年４月１７日に出願された第１１／７３６，５３７号、および２００７年９月１０日に出願された第１１／８２５，９７５号において説明されており、これらの出願の各々の全体は、参照により組み込まれる。本明細書において論じられる本発明の原理を、虚血性脳卒中の治療に有用である装置を生産するために、上記に参照された事例に適用してもよい。言い換えると、本発明に従う装置のワイヤ形状構造は、このような組み合わせが本明細書に説明する特徴と矛盾しない場合に、上記に参照された事例において開示された形状を帯びてもよい。
例えば、本発明は以下の項目を提供する。
（項目１）
血管から閉塞物を除去する医療装置であって、該医療装置は、
第１の端部および第２の端部を有するワイヤ群を備える主部束と、
該ワイヤ群によって形成され、かつ捕捉表面に隣接する並進表面を有する捕捉部分であって、該並進表面は、開放近位端を有し、該捕捉表面は、透過性遠位端を有する、捕捉部分と
を備え、
該捕捉部分が該ワイヤ群から形成されることにより、該ワイヤ群は、該主部束の該第２の端部から分岐して該透過性遠位端を形成し、該ワイヤ群は、近位方向に戻るように延在することにより、該主部束の周囲に該捕捉表面、該並進表面、および開放近位端を形成し、
該並進表面および捕捉表面は、並進表面軸方向強度が捕捉表面軸方向強度よりも大きくなるように構成され、該主部束への引張力の適用は、該捕捉部分が該閉塞物を係合する際に、該並進表面を変形させるほど該並進表面の軸方向の圧縮および変形を生じさせずに、該捕捉表面の軸方向の圧縮を生じさせる、医療装置。
（項目２）
上記捕捉部分は、上記主部束に対する該捕捉部分の関節運動が上記開放近位端の寸法を減少させないように、形成される、項目１に記載の医療装置。
（項目３）
上記捕捉表面は、ワイヤの上記主部束によって適用される近位力が、上記閉塞物からの抵抗を受ける場合に上記並進表面に対して上記捕捉区画を圧縮する際に、該並進表面に対してバネ力を生成するように構成され、該捕捉表面は、上記開放近位端が該閉塞物を係合する際に、該バネ力および近位力を該開放近位端に向けるのに十分な軸方向剛性を有するように構成され、さらに、該捕捉区画は、上記血管の形状に適合するように十分に可撓性である、項目１に記載の医療装置。
（項目４）
上記捕捉区画は、上記並進区画の上記開放近位端が閾値力以上の抵抗を受ける場合に、上記主部束の近位移動が、該並進区画内において該捕捉区画を反転させ、該捕捉区画の寸法を減少させるように、構成される、項目１に記載の医療装置。
（項目５）
上記捕捉区画および横断区画は、上記横断表面が上記捕捉表面に対して遠位に移動するように、上記主部束の連続的な近位移動時に反転するように構成される、項目４に記載の医療装置。
（項目６）
上記主部束は、近位束に接合され、該近位束は、該主部束より大きな剛性を備え、該主部束は、上記脳血管系内における上記医療装置の遠位部分の操作を可能にするように、上記透過性遠位端から所定の距離だけ延在する、項目１に記載の医療装置。
（項目７）
上記所定の距離は、少なくとも２０ｃｍである、項目６に記載の医療装置。
（項目８）
上記捕捉表面は、上記閉塞物の除去のために該捕捉表面が該閉塞物を係合するように、上記並進表面に比べて増加した摩擦抵抗を有する、項目１に記載の医療装置。
（項目９）
上記開放近位端は、上記並進表面から延在する複数のフランジをさらに備える、項目１に記載の医療装置。
（項目１０）
上記フランジは、上記捕捉部分の軸から離れるように半径方向に延在する、項目９に記載の医療装置。
（項目１１）
上記捕捉部分は、自己拡張可能である、項目１に記載の医療装置。
（項目１２）
上記捕捉表面の少なくとも一部分は、バスケット、フィルタ、バック、コイル、螺旋状ワイヤ構造、メッシュ、単一の巻線ワイヤ、および複数の交差ワイヤ、またはそれらの組み合わせから成る群から選択される構造を備える、項目１に記載の医療装置。
（項目１３）
ワイヤの上記主部束は、少なくとも第１のワイヤおよび第２のワイヤを含み、該第１および第２のワイヤの各々は、異なる特性を有する、項目１に記載の医療装置。
（項目１４）
上記特性は、材料、断面形状、および断面寸法から成る群から選択される、項目１３に記載の医療装置。
（項目１５）
上記ワイヤの主部束は、少なくとも１つの形状記憶合金ワイヤを含む、項目１に記載の医療装置。
（項目１６）
上記ワイヤの主部束は、超弾性ワイヤ、ポリマーワイヤ、または金属合金から成る群から選択される少なくとも１つのワイヤを含む、項目１に記載の医療装置。
（項目１７）
上記金属合金は、ステンレス鋼、チタン、白金、金、イリジウム、タンタル、ニチノール、およびそれらの組み合わせから成る群から選択される合金を備える、項目１６に記載の医療装置。
（項目１８）
上記捕捉部分上に位置する少なくとも１つのＸ線不透過性材料をさらに備える、項目１に記載の医療装置。
（項目１９）
上記ワイヤ群における上記個々のワイヤの各々は、より小さいワイヤの束を備える、項目１に記載の医療装置。
（項目２０）
上記個々のワイヤは、超弾性の外側シェルおよびＸ線不透過性材料の内側核を備える、項目１に記載の医療装置。
（項目２１）
上記内側核は、白金、イリジウム、金、およびタンタルから成る群から選択される材料を備える、項目２０に記載の医療装置
（項目２２）
上記捕捉部分は、接合部がない、項目１に記載の医療装置。
（項目２３）
上記主部束からの上記ワイヤのうちの少なくとも１つは、上記捕捉部分の少なくとも一部を形成した後に該主部束に戻る、項目１に記載の医療装置。
（項目２４）
上記主部束からの上記ワイヤの各々は、上記捕捉部分の一部を形成した後に該主部束に戻る、項目１に記載の医療装置
（項目２５）
上記主部束は、コイルまたはコイル状ワイヤによって囲繞される、項目１に記載の医療装置。
（項目２６）
体内管腔から閉塞物を除去する回収装置であって、
少なくとも１つの先導ワイヤと、
捕捉区画に隣接して並進区画を備える回収本体であって、該並進区画は、開放近位端を有し、該捕捉区画は、透過性遠位端を有し、該先導ワイヤは、該捕捉区画の一部分まで延在することにより、該先導ワイヤに対する該開放近位端の関節運動を可能にする、回収本体と
を備え、
該並進区画および捕捉区画は、並進区画軸方向強度が捕捉区画軸方向強度よりも大きくなるように構成され、該先導ワイヤへの引張力の適用は、該回収本体が該閉塞物を係合する際に、並進表面の軸方向の変形を生じさずに、捕捉表面の軸方向の圧縮を生じさせる、回収装置。
（項目２７）
上記回収本体は、上記先導ワイヤに対する該回収本体の関節運動が、関節運動中に上記開放近位端を狭小化せずに発生するように、形成される、項目２６に記載の回収装置。
（項目２８）
上記捕捉区画は、上記先導ワイヤによって適用される近位力が、上記閉塞物からの抵抗を受ける場合に上記並進区画に対して該捕捉区画を圧縮する際に、該並進区画に対してバネ力を生成するように構成され、該捕捉区画は、上記開放近位端が該閉塞物を係合する際に、該バネ力および近位力を該開放近位端に向けるのに十分な軸方向剛性を有するように構成され、さらに、該捕捉区画は、上記体内管腔の形状に適合するように十分に可撓性である、項目２６に記載の回収装置。
（項目２９）
上記捕捉区画は、上記並進区画の上記開放近位端が閾値力以上の抵抗を作用させる場合に、上記先導ワイヤの近位移動が、該並進区画内において該捕捉区画を反転させ、該捕捉区画の寸法を減少させるように、構成される、項目２６に記載の回収装置。
（項目３０）
上記捕捉区画および横断区画は、該横断区画が上記捕捉表面に対して遠位に移動するように、上記先導ワイヤの連続的な近位移動時に反転するように、構成される、項目２９に記載の回収装置。
（項目３１）
上記少なくとも１つの先導ワイヤは、少なくとも１つの近位先導ワイヤに接合され、該近位先導ワイヤは、該先導ワイヤより大きな剛性を備え、該先導ワイヤは、上記脳血管系内における上記回収装置の遠位部分の操作を可能にするように、上記透過性遠位端から所定の距離だけ延在する、項目２６に記載の回収装置。
（項目３２）
上記所定の距離は、少なくとも２０ｃｍである、項目３１に記載の回収装置。
（項目３３）
上記先導ワイヤは、コイルまたはコイル状ワイヤによって囲繞される、項目２６に記載の回収装置。
（項目３４）
上記先導ワイヤは、上記透過性遠位端まで延在する、項目２６に記載の回収装置。
（項目３５）
上記捕捉部分は、レーザ切断管、エッチングされた管、射出成形構造から成る群から選択される構造を備える、項目２６に記載の回収装置。
（項目３６）
上記少なくとも１つの先導ワイヤは、接合または接点を介して上記捕捉部分に取り付けられる、項目３６に記載の回収装置。
（項目３７）
上記並進区画は、上記捕捉区画よりも低い適用範囲密度を有することによって、上記閉塞物の上を移動する際に、上記捕捉表面の第１の部分の摩擦抵抗を低下させる、項目２６に記載の回収装置。
（項目３８）
上記少なくとも１つの先導ワイヤは、超弾性の外側シェルおよびＸ線不透過性材料の内側核を備える、項目３７に記載の回収装置。
（項目３９）
上記内側核は、白金、イリジウム、金、タンタル、合金、またはそれらの混合から成る群から選択される材料を備える、項目３８に記載の回収装置。
（項目４０）
先導ワイヤは、上記捕捉部分に連続的であり、該捕捉部分を形成する、項目３８に記載の回収装置。
（項目４１）
上記少なくとも１つの先導ワイヤは、主部束を形成するワイヤ群を備え、該ワイヤ群は、該ワイヤ群が、該主部束の第２の端部から分岐して上記透過性遠位端を形成するように、上記捕捉部分を形成し、該ワイヤ群は、上記捕捉表面および開放端の両方を形成するように引き続き延在する、項目２６に記載の回収装置。
（項目４２）
上記少なくとも１つの先導ワイヤは、主部束を形成するワイヤ群を備え、該ワイヤ群は、該ワイヤ群が該主部束の第２の端部から分岐して上記捕捉表面を形成するように、上記捕捉部分を形成し、該ワイヤ群は、上記透過性遠位端および開放近位端の両方を形成するように引き続き延在する、項目２６に記載の回収装置。
（項目４３）
上記少なくとも１つの先導ワイヤは、主部束を形成するワイヤ群を備え、少なくとも１つの個々のワイヤは、円形、楕円形、長方形、多角形、およびＤ字形から成る群から選択される断面形状を有する、項目２６に記載の回収装置。
（項目４４）
上記回収本体は、非接合型である、項目２６に記載の回収装置。
（項目４５）
上記捕捉区画の少なくとも一部分は、バスケット、フィルタ、バック、コイル、螺旋状ワイヤ構造、メッシュ、単一の巻線ワイヤ、複数の交差ワイヤ、およびそれらの組み合わせから成る群から選択される構造を備える、項目２６に記載の回収装置。
（項目４６）
上記並進区画の上記開放近位端は、上記捕捉部分から延在する複数のフランジをさらに備える、項目２６に記載の回収装置。
（項目４７）
上記回収本体は、自己拡張可能であり、圧縮することにより上記カテーテルのルーメン内に嵌合する、項目２６に記載の回収装置。
（項目４８）
上記捕捉区画上に位置する少なくとも１つのＸ線不透過性材料をさらに備える、項目２６に記載の回収装置。
（項目４９）
上記先導ワイヤは、より小さいワイヤの束を備える、項目２６に記載の回収装置。
（項目５０）
上記先導ワイヤは、上記捕捉区画の上記透過性遠位端側に分岐するワイヤ
群を備える、項目２６に記載の回収装置。
（項目５１）
近位捕捉部分を備え、上記回収本体は、上記近位捕捉部分に対して可動であり、上記近位捕捉部分は、開放遠位端および近位端を備え、上記先導ワイヤは、上記近位捕捉部分の上記開放遠位端を貫通し、上記近位捕捉部分の上記遠位開放端と上記回収本体の上記近位開放端との間の距離が変更可能であるように、上記近位捕捉部分に対して可動である、項目２６に記載の回収装置。
（項目５２）
上記近位捕捉部分の上記近位端は、透過性である、項目５１に記載の回収装置。
（項目５３）
上記近位捕捉部分の上記近位端は、非透過性である、項目５１に記載の回収装置。
（項目５４）
上記遠位捕捉部分の上記近位開放端上に位置する第１の複数のフランジと、上記近位捕捉部分の上記遠位開放端上に位置する第２の複数のフランジとをさらに備え、該第１および第２の複数のフランジは、取り外し可能に相互に係合可能である、項目５１に記載の回収装置。
（項目５５）
上記近位捕捉部分および回収本体は、相互に対して回転可能である、項目５１に記載の回収装置。
（項目５６）
上記近位捕捉部分の上記近位端は、上記先導ワイヤがそれを通って可動であるように、該先導ワイヤの周囲に連結される、項目５１に記載の回収装置。
（項目５７）
上記先導ワイヤの上に延在するシースをさらに備え、上記近位捕捉部分の上記近位端は、該シースに装着される、項目５１に記載の回収装置。
（項目５８）
上記近位捕捉部分は、レーザ切断管、エッチングされた管、射出成形構造から成る群から選択される構造を備える、項目５１に記載の回収装置。
（項目５９）
上記少なくとも１つの先導ワイヤは、接合または接点を介して上記近位捕捉部分に取り付けられる、項目５８に記載の回収装置。
（項目６０）
上記近位捕捉部分は、上記開放遠位端から上記近位端まで増加する適用範囲密度を有する、項目５１に記載の回収装置。
（項目６１）
上記近位捕捉部分は、超弾性の外側シェルおよびＸ線不透過性材料の内側核を備えるワイヤから形成される、項目５１に記載の回収装置。
（項目６２）
上記内側核は、白金、イリジウム、金、およびタンタル、またはそれらの組み合わせから成る群から選択される材料を備える、項目６１に記載の回収装置。
（項目６３）
上記近位捕捉部分は、接合部がない、項目５１に記載の回収装置。
（項目６４）
上記近位捕捉部分の表面の少なくとも一部分は、バスケット、フィルタ、バック、コイル、螺旋状ワイヤ構造、メッシュ、単一の巻線ワイヤ、複数の交差ワイヤ、およびそれらの組み合わせから成る群から選択される構造を備える、項目５１に記載の回収装置。
（項目６５）
血管から閉塞物を除去する方法であって、該方法は、
該閉塞物に対して遠位にカテーテルを前進させることと、
該閉塞物の遠位に第１の捕捉部分を配置することであって、該第１の捕捉部分は、並進表面および捕捉表面を備え、該並進表面は、開放近位端を有し、該捕捉表面は、透過性遠位端を有し、少なくとも１つの先導ワイヤは、該捕捉表面に装着され、かつ、該捕捉部分および該カテーテルを貫通し、該並進表面および捕捉表面は、並進表面軸方向強度が捕捉表面軸方向強度よりも大きくなるように構成される、ことと、
該並進表面の軸方向の変形を生じさせるほど該並進表面を圧縮せずに該捕捉表面を圧縮するために、該先導ワイヤを近位に移動させることであって、それにより、該並進表面が該閉塞物の上を徐々に進む、ことと、
該血管から該閉塞物および第１の捕捉部分を除去することと
を含む、方法。
（項目６６）
上記先導ワイヤを引張ることは、上記開放近位端が上記閉塞物に沿って進むように、上記捕捉表面に上記並進表面に対してバネ力を適用させる、項目６５に記載の方法。
（項目６７）
上記開放近位端が上記閉塞物を係合する間、上記先導ワイヤに閾値力を適用することは、上記捕捉表面に上記捕捉部分内において反転させる、項目６５に記載の方法。
（項目６８）
上記閾値力を適用することは、該閾値力を適用し続けることにより、上記カテーテルの遠位端に上記捕捉表面を引き込むことを含む、項目６７に記載の方法。
（項目６９）
上記閾値力を適用することは、該閾値力を適用し続けることにより、上記捕捉表面が上記並進表面に近位になるように上記捕捉部分を反転することを含む、項目６７に記載の方法。
（項目７０）
上記捕捉表面に上記力を適用するために上記先導ワイヤを引張することは、該力を上記透過性遠位端に適用することを含む、項目６５に記載の方法。
（項目７１）
上記捕捉部分に上記力を適用するために上記先導ワイヤを引張することは、上記捕捉表面に該力を適用することを含む、項目６５に記載の方法。
（項目７２）
上記第１の捕捉部分に対して軸方向に可動に取り付けられる開放遠位端および近位端を有する第２の捕捉部分をさらに備え、それにより、上記閉塞物の上を該第１の捕捉部分を移動させることは、該第１の捕捉部分の該開放近位端を該第２の捕捉部分の該開放遠位端に向かって移動させて、該閉塞物を囲繞する、項目６５に記載の方法。
（項目７３）
上記第２の捕捉部分の上記近位端は、非透過性であり、かつ、流動を一時的に閉塞または中断する、項目７２に記載の方法。
（項目７４）
上記第２の捕捉部分の上記近位端は、透過性であり、かつ、上記閉塞物の除去中の流動を可能にする、項目７２に記載の方法。
（項目７５）
上記開放近位端および上記開放遠位端が相互に取り外し可能に係合可能であるように、上記第１の捕捉部分を上記第２の捕捉部分に向かって移動させ続けることをさらに含む、項目７２に記載の方法。
（項目７６）
上記閉塞物をさらに固定するために、該閉塞物の周囲で上記第２の捕捉部分を圧縮することをさらに含む、項目７２に記載の方法
（項目７７）
シースの遠位端内に物体を引き込むための再進入装置であって、該再進入装置は、
遠位部分、およびそれを貫通するルーメンを有する細長い部材と、
該遠位部分において円周方向に配置される複数の第１の歯部であって、該複数の第１の歯部の各々は、第１の不連続な漏斗部を形成する遠位端を有し、各第１の歯部の該遠位端は、隣接する第１の歯部の該遠位端から離隔しており、該第１の不連続な漏斗部は、該シースの該遠位端内への引き込み時に折り畳み可能である、第１の歯部と
を備える、再進入装置。
（項目７８）
上記第１の漏斗部に対して近位に離隔している第２の漏斗部であって、上記シースの上記遠位端内への引き込み時に折り畳み可能である、第２の漏斗部をさらに備え、上記第１の不連続漏斗形状の遠位外周は、該第２の漏斗部の遠位外周に対して遠位である、項目７７に記載の再進入装置。
（項目７９）
上記第２の漏斗部は、上記遠位部分において円周方向に配置される複数の第２の歯部を備え、該複数の第２の歯部の各々は、第２の不連続な漏斗形状を形成する遠位端を有し、各第２の歯部の該遠位端は、隣接する第２の歯部の該遠位端から離隔している、項目７８に記載の再進入装置。
（項目８０）
少なくとも上記第１または第２の歯部の内面上に少なくとも１つの突起をさらに備える、項目７９に記載の再進入装置。
（項目８１）
上記第２の漏斗部は、連続な漏斗部を備える、項目７８に記載の再進入装置。
（項目８２）
第２の漏斗部をさらに備え、該第２の漏斗部は、可撓性層を備える、項目７７に記載の再進入装置。
（項目８３）
上記可撓性層は、メッシュ編組を備える、項目８２に記載の再進入装置。
（項目８４）
上記メッシュ編組は、ニチノール編組を備える、項目８３に記載の再進入装置。
（項目８５）
上記第２の漏斗部は、テーパ状の分割管を備える、項目７７に記載の再進入装置。
（項目８６）
シースの遠位端内に物体を引き込む再進入装置であって、該再進入装置は、
遠位部分、およびそれを貫通するルーメンを有する細長い部材であって、該シース内に摺動可能に嵌合する寸法にされる、細長い部材と、
複数の第１の歯部を備える第１のスロット付き漏斗部であって、該複数の第１の歯部の各々は、隣接する第１の歯部の自由端と不連続である自由端を有し、該第１のスロット付き漏斗部は、該シースの該遠位端内への引き込み時に折り畳み可能である、第１のスロット付き漏斗部と、
該第１の歯部の該自由端に対して近位に位置する第２の漏斗部と
を備える、再進入装置。
（項目８７）
上記第２の漏斗部は、隣接する第２の歯部の自由端に不連続な自由端を各々が有する複数の第２の歯部を備える第２のスロット付き漏斗部を備え、上記第１のスロット付き漏斗部は、上記シースの上記遠位端内への引き込み時に折り畳み可能である、項目８６に記載の再進入装置。
（項目８８）
上記第２の歯部の上記自由端は、上記細長い部材に対して上記第１の歯部の上記自由端に近位に位置し、上記第１および第２の歯部は回転オフセットされる、項目８７に記載の再進入装置。
（項目８９）
上記第２の漏斗部は、第２の連続的漏斗部を備え、上記第２の連続的漏斗部は、上記シースの上記遠位端内への引き込み時に折り畳み可能である、項目８６に記載の再進入装置。
（項目９０）
上記第２の漏斗部は、テーパ状の分割管を備える、項目８６に記載の再進入装置。
（項目９１）
上記第２の漏斗部は、可撓性層を備える、項目８６に記載の再進入装置。
（項目９２）
上記可撓性層は、メッシュ編組を備える、項目９１に記載の再進入装置。
（項目９３）
上記メッシュ編組は、ニチノール編組を備える、項目９２に記載の再進入装置。
（項目９４）
シースの遠位端内に物体を引き込む回収システムであって、該回収システムは、
遠位部分、およびそれを貫通するルーメンを有する細長い部材と、
該細長い部材に装着される部分を有する可撓性層であって、該可撓性層の第１の端部は、該細長い部材の該遠位部分に漏斗部を形成するように構成される、可撓性層と、
該物体を係合するために該細長い部材を通って前進することが可能である回収装置であって、該可撓性層内への該回収装置の近位移動は、該可撓性層に、該回収装置を係合して、該回収装置が該物体を該シースに固定することを支援させる、回収装置と
を備える、回収システム。
（項目９５）
上記細長い部材は、第１のシャフトおよび第２のシャフトを備え、該第１と第２のシャフトとは入れ子の係合状態にあり、上記可撓性層の第１の端部は、該第１のシャフトに装着され、該可撓性部材の第２の端部は、該第２のシャフトに装着され、該可撓性部材の端部間の距離を減少させるために該第１および第２のシャフトを移動することは、該可撓性材料に、該可撓性層が該第２の細長いシャフトの周りでさらに反転する際に、漏斗部を形成させる、項目９４に記載の回収装置。
（項目９６）
上記可撓性層は、単一の位置において上記細長い部材に装着される、項目９４に記載の回収装置。
（項目９７）
上記可撓性部材は、遠位位置において上記細長い部材に装着され、該可撓性部材は、所定の漏斗形状を有することにより、該可撓性部材は、非拘束時に、該細長い部材の該遠位端の周囲に該漏斗形状を形成する、項目９６に記載の回収装置。
（項目９８）
上記可撓性部材は、近位位置において上記細長い部材に装着され、該可撓性部材は、該細長い部材の上記遠位端を越えて延在する、項目９６に記載の回収装置。
（項目９９）
上記回収装置の近位移動は、上記可撓性部材を係合し、該可撓性部材に漏斗形状を形成させる、項目９８に記載の回収装置。
（項目１００）
上記可撓性部材は所定の漏斗形状を有し、それにより、該可撓性部材が、非拘束時に、漏斗形状を帯びる、項目９８に記載の回収装置。
（項目１０１）
上記可撓性層は、メッシュ編組を備える、項目９４に記載の回収装置。
（項目１０２）
上記メッシュ編組は、ニチノール編組を備える、項目１０１に記載の回収装置。
（項目１０３）
上記可撓性層は、可撓性層の材料を備える、項目９４に記載の回収装置。
（項目１０４）
第２の細長い部材を貫通する回収シースであって、該第２の細長い部材は遠位端に装着される近位捕捉部分を有する、回収シースと、
該回収シースを貫通する少なくとも１つの先導ワイヤであって、該先導ワイヤの遠位区画は、遠位剛性を備え、該先導ワイヤの近位区画は、近位剛性を備え、該近位剛性は、該遠位剛性よりも大きい、先導ワイヤと、
該先導ワイヤの遠位端における遠位捕捉部分であって、該近位捕捉部分に対して軸方向に可動である、遠位捕捉部分と
をさらに備える、項目９４に記載の回収装置。
（項目１０５）
上記先導ワイヤの上記遠位区画は、上記遠位捕捉部分から所定の距離だけ近位に延在することにより、脳血管系内における該先導ワイヤの遠位区画の操作を可能にする、項目１０４に記載の回収装置。
（項目１０６）
上記所定の距離は、少なくとも２０ｃｍである、項目１０５に記載の回収装置。
（項目１０７）
体内の物体を除去するシステムであって、
シース遠位端、およびそれを貫通するシースルーメンを有するシースと、
該シースルーメン内に摺動可能に位置し、かつ、該シース遠位端から前進することが可能である再進入装置であって、該再進入装置は、第１のスロット付き漏斗部および第２のスロット付き漏斗部を有する細長い部材を備え、該細長い部材は、遠位部分およびそれを貫通するルーメンを有し、かつ、該シース内で摺動可能に嵌合する寸法を有する、再進入装置と
を備え、
該第１のスロット付き漏斗部および該第２のスロット付き漏斗部の各々は、複数の第１および第２の歯部をそれぞれ備え、該歯部の各々は、隣接する歯部の自由端と不連続である自由端を有し、該第２のスロット付き漏斗部の遠位端は、該第１のスロット付き漏斗部の遠位端に対して近位であり、該第１および第２の歯部は、回転方向にオフセットされることにより、該シース内への引き込み時に、該第２の歯部が、隣接する第１の歯部間の空間から離隔した部分を被覆する、システム。
（項目１０８）
上記細長い部材を通って摺動可能に前進することが可能である捕捉区画をさらに備える、項目１０７に記載のシステム。
（項目１０９）
カテーテルとともに使用する回収システムであって、
回収シースと、
該回収シースの遠位端に装着される近位捕捉部分と、
該回収シースを貫通する少なくとも１つの先導ワイヤであって、該先導ワイヤの遠位区画は、遠位剛性を備え、該先導ワイヤの近位区画は、近位剛性を備え、該近位剛性は、該遠位剛性よりも大きい、先導ワイヤと、
該先導ワイヤの遠位端における遠位捕捉部分であって、該近位捕捉部分に対して軸方向に可動である、遠位捕捉部分と
を備える、システム。
（項目１１０）
上記回収シースの上に摺動可能に位置する挿入ツールであって、該挿入ツールは、剛性区画に装着される把持領域を備え、該把持部分の圧縮は、該挿入ツールの間の摩擦嵌合を形成し、それにより、該挿入ツールが該回収シースに結合されると、該把持部分の圧縮および該挿入ツールの軸方向の移動が、該カテーテル内において該回収シースを前進させる、項目１０９に記載の回収システム。
（項目１１１）
上記先導ワイヤの遠位区画は、結合領域において該先導ワイヤの上記近位区画に接合され、該結合領域は、上記遠位捕捉部分から所定の距離を置いて位置し、脳血管系内の上記システムの遠位区画の操作を可能にする、項目１０９に記載の回収システム。
（項目１１２）
上記所定の距離は、少なくとも２０ｃｍである、項目１１１に記載の回収システム。
（項目１１３）
上記シース上に摺動可能に位置する漏斗部をさらに備え、上記近位捕捉部分および遠位捕捉部分の該漏斗部内での移動は、該近位および遠位捕捉部分を圧縮する、項目１０９に記載の回収システム。
（項目１１４）
上記挿入ツールが装填管を備えることにより、上記近位捕捉部分および遠位捕捉部分は該装填管内において圧縮可能である、項目１０９に記載の回収システム。